【手続補正書】
【提出日】平成16年4月21日(2004.4.21)
【手続補正１】
【補正対象書類名】明細書
【補正対象項目名】特許請求の範囲
【補正方法】変更
【補正の内容】
【特許請求の範囲】
【請求項１】
インターネットに接続し、又はデジタル放送を受信して取得した情報データを処理可能なテレビジョン受信機において、
インターネット上の情報配信サイトで配信される情報データを取得する通信Ｉ／Ｆ、及び／又はデジタル放送を受信して配信される情報データを取得するデジタル放送チューナーを有する情報データ取得手段と、
前記情報データの１つの箇条書きを１つのセンテンスとして時系列に記憶する第１の記憶部を有する記憶手段と、
前記情報データを表示可能な形式に変換する映像変換手段と、
操作者の操作情報を出力する操作入力手段と、
前記操作情報に基づいて前記テレビジョン受信機全体を制御する制御手段と
を有し、
最新の出来事を箇条書きの形式にて表示する前記情報配信サイトとの接続、及び／又は最新の出来事を箇条書きの形式にて表示する前記デジタル放送のチャンネルを予め登録しておき、前記制御手段の取得指示に基づいて、１つ以上の配信元から前記情報データを取得して記憶し、少なくとも該情報データの所定のセンテンスを付加画像として視聴中の画面の一部を使って表示するための映像信号を生成することを特徴とするテレビジョン受信機。
【請求項２】
更に、前記映像変換手段によって変換された前記情報データを表示する表示手段を有し、前記映像信号を入力して画像表示することを特徴とする請求項１記載のテレビジョン受信機。
【請求項３】
前記制御手段は、前記操作手段からの操作情報に基づいて前記取得指示を出すことを特徴とする請求項１又は２記載のテレビジョン受信機。
【請求項４】
前記制御手段は、一定の時間間隔で前記取得指示を出すことを特徴とする請求項１又は２記載のテレビジョン受信機。
【請求項５】
前記記憶手段が、未だに記憶していないセンテンスのみを新たに記憶するようにしたことを特徴とする請求項１又は２記載のテレビジョン受信機。
【請求項６】
前記第１の記憶部に、前記センテンスをジャンル毎に区別して記憶し、前記操作情報に基づいて、所望ジャンルにおける最新の保存された前記センテンスを前記付加画像とすることを特徴とする請求項１又は２記載のテレビジョン受信機。
【請求項７】
前記制御手段は、前記第１の記憶部に記憶されている前記センテンスを、最新のものから時系列に任意に定めた個数溯った中からランダムに選択し、選択した前記センテンスを前記付加画像とすることを特徴とする請求項１又は２記載のテレビジョン受信機。
【請求項８】
前記制御手段は、前記操作情報に基づいて、前記第１の記憶部により記憶した前記センテンスを時系列に溯って選択し、選択したセンテンスを前記付加画像としたことを特徴とする請求項１又は２記載のテレビジョン受信機。
【請求項９】
更に、前記記憶手段が、過去に前記付加画像とした前記センテンスを逐次記憶する第３の記憶部を有し、
前記制御手段は、前記操作情報に基づいて、前記第３の記憶手段により記憶したセンテンスを時系列に溯って選択し、選択したセンテンスを前記付加画像としたことを特徴とする請求項１又は２記載のテレビジョン受信機。
【請求項１０】
更に、前記情報データを音声出力可能な形式に変換する音声変換手段を有し、前記付加画像を表示するための映像信号を生成するのと同時に前記付加画像のセンテンスの通知内容を音声出力するための音声信号を生成することを特徴とする請求項１又は２記載のテレビジョン受信機。
【請求項１１】
更に、前記音声信号を入力して音声出力するスピーカを有することを特徴とする請求項１０記載のテレビジョン受信機。
【請求項１２】
更に、前記記憶手段が、前記情報データを紹介するキャラクタを発生させるキャラクタデータを予め記憶した第２の記憶部を有し、
前記制御手段は、前記第１の記憶部から選択した所定のセンテンスを口語調に変換し、変換した該口語調センテンスと共に、該口語調センテンスに対応するキャラクタデータを選択し、選択した該キャラクタデータを前記口語調センテンスに関連付けて表示するように前記付加画像を形成することを特徴とする請求項１又は２記載のテレビジョン受信機。
【請求項１３】
前記情報データ取得手段によって、テレビチャンネル情報の配信元から、前記情報データとして電子番組ガイドを含むテレビチャンネル情報を取得し、取得した前記テレビチャンネル情報を記憶するための第４の記憶部を前記記憶手段に更に設け、
前記制御手段は、前記第１の記憶部から読み出した前記センテンスから所定の単語を選出し、該選出単語又は該選出単語に関連のある語句を含む番組を、前記第４の記憶部に記憶したテレビチャンネル情報の現在以降の番組から検索し、検索した番組から所定の優先順位に従って選んだ番組情報を、前記選出単語を選出した前記センテンスと共に前記付加画像とすることを特徴とする請求項１又は２記載のテレビジョン受信機。
【請求項１４】
前記制御手段は、前記情報データ取得手段で取得した前記情報データの各センテンスから各々主要な単語を選出し、該選出単語又は該選出単語に関連のある語句を含む番組が、前記第４の記憶部に記憶された保存テレビチャンネル情報の当日の番組中に存在するか否かを調査し、存在する場合のみ、前記選出単語を選出した前記センテンスを前記第１の記憶部に時系列に記憶することを特徴とする請求項１３記載のテレビジョン受信機。
【請求項１５】
前記請求項１乃至１４の何れかのテレビジョン受信機が情報データを入手する専用の情報配信元の情報データの配信方法であって、
最新の出来事をジャンル分けして箇条書きの形式にて表示する情報配信サイトとの接続、及び／又は最新の出来事をジャンル分けして箇条書きの形式にて表示するデジタル放送のチャンネルを予め登録しておき、
一定の時間間隔で登録してある前記情報配信サイト及び／又は前記チャンネルにアクセスして１つ以上の配信元から情報データを取得し、
該情報データにおいて１つの箇条書きを１つのセンテンスとし、各センテンスをジャンルごとに分け、且つ時系列に表示する前記情報データを再配信する
ことを特徴とする情報データの配信方法。
【請求項１６】
インターネットに接続し、又はデジタル放送を受信して取得した情報データにおいて情報データ内に含まれる箇条書き形式の文字情報を処理可能なテレビジョン受信機において、
インターネット上の情報配信サイトで配信される情報データを取得する通信Ｉ／Ｆ、及び／又はデジタル放送を受信して配信される情報データを取得するデジタル放送チューナーを有する情報データ取得手段と、
最新の出来事を箇条書き形式にして表示する前記情報配信サイトとの接続、及び／又は最新の出来事を箇条書き形式にして表示する前記デジタル放送のチャンネルを予め登録しておく第１の記憶手段と、
該記憶手段に登録された最新の出来事を箇条書き形式にして表示する情報配信サイト、及び／又は最新の出来事を箇条書き形式にして表示する前記デジタル放送の情報データから情報データ内に含まれる箇条書き形式の文字情報を抜き取り取得する取得手段と、
該箇条書き１つを１つのセンテンスとして時系列に記憶する第２の記憶手段と、
前記センテンスを表示可能な形式に変換する映像変換手段と、
操作者が操作する操作入力に基づいて前記テレビジョン受信機全体を制御する制御手段と
を有し、
前記制御手段における取得指示に基づいて、１つ以上の前記第１の記憶手段に登録された最新の出来事を箇条書き形式にして表示する前記情報配信サイト、及び／又は最新の出来事を箇条書き形式にして表示する前記デジタル放送より前記第２の記憶手段において記憶したセンテンス群から少なくとも１つ以上の所定のセンテンスを付加画像として視聴中の画面を一部使用して表示するための映像信号を生成することを特徴とするテレビジョン受信機。